(57)【特許請求の範囲】
【請求項１】
真贋判定可能な第１電池を第１電池用ホルダに載置した状態で、又は真贋判定可能な第２電池を直接、装填可能な装填部を備えるとともに、被電力供給物に装着される電池収容ユニットにおける該装填部に対して、前記第１電池用ホルダ又は前記第２電池が装填されて該電池収容ユニットが前記被電力供給物に装着された場合に、前記第１電池用ホルダ又は前記第２電池のいずれが装填されているかを判別する判別部と、
前記判別部により前記第１電池用ホルダが装着されていると判断された場合に、該第１電池用ホルダの出力部から出力される電圧を検出する電圧検出部と、
該電圧検出部により検出された前記電圧が所定値以上の場合、又は前記判別部により前記第２電池が装着されていると判断された場合に、前記第１電池又は前記第２電池の真贋を判定する真贋判定部と、
を備えることを特徴とする電池の真贋判定システム。
【請求項２】
請求項１に記載の電池の真贋判定システムであって、
前記第１電池及び前記第２電池が制御ＩＣを備え、
前記真贋判定部が、前記被電力供給物と前記制御ＩＣとの間において通信可能かどうかを判断することにより前記電池の真贋を判定することを特徴とする電池の真贋判定システム。
【請求項３】
請求項２に記載の電池の真贋判定システムであって、
前記真贋判定部において前記被電力供給物と前記制御ＩＣとの間が通信不能であると判断された場合に、前記被電力供給物の動作の一部を動作不能にすることを特徴とする電池の真贋判定システム。
【請求項４】
請求項１〜３のいずれか１項に記載の電池の真贋判定システムであって、
前記判別部は、第１電池用ホルダ又は第２電池と電池収容ユニットとの接触状態により、前記第１電池用ホルダ又は前記第２電池のいずれが装着されたかを判別することを特徴とする電池の真贋判定システム。
【請求項５】
請求項４に記載の電池の真贋判定システムであって、
前記電池収容ユニットに設けられた複数の接片を備え、
前記判別部は、前記第１電池用ホルダ又は第２電池が前記装填部に挿入されたときに、前記接片のうちのいずれの接片を押圧するかによって前記第１電池用ホルダ又は第２電池のいずれであるかを判別することを特徴とする電池の真贋判定システム。
【請求項６】
請求項１〜５のいずれか１項に記載の電池の真贋判定システムを備えるカメラ。
【請求項７】
真贋判定可能な第１電池を第１電池用ホルダに載置した状態で、又は真贋判定可能な第２電池を直接、装填可能な装填部を備えるとともに、被電力供給物に装着される電池収容ユニットにおける該装填部に対して、前記第１電池用ホルダ又は前記第２電池が装填されて該電池収容ユニットが前記被電力供給物に装着された場合に、前記第１電池用ホルダ又は前記第２電池のいずれが装填されているかを判別し、
前記第１電池用ホルダが装着されていると判断された場合に、該第１電池用ホルダの出力部から出力される電圧を検出し、
前記電圧が所定値以上の場合、又は前記第２電池が装着されていると判断された場合に、前記第１電池又は前記第２電池の真贋を判定することを特徴とする電池の真贋判定方法。
【発明の詳細な説明】
【技術分野】
【０００１】
本発明は、複数種類の電池を装填可能な電池収容ユニットが装着された、例えばカメラ等の被電力供給物における電池の真贋判定システム、それを備えたカメラ及び電池の真贋判定方法に関する。
【背景技術】
【０００２】
従来、電池パック等の複数本の電池と制御ＩＣとを一体構成とした電池が、カメラ等において使用されている。このような電池においては、模倣品等の非正規品が製造・販売されている。非正規品が使用されると、所望の電力が出力されなかったり、容量不足により使用可能時間が短かったりする可能性がある。このため、従来、カメラと電池との間で通信を行うことによって、電池が正規品か非正規品かを判断するシステムが存在する（例えば、特許文献１参照）。
【特許文献１】特開２００６−１１４４２３号公報
【発明の開示】
【発明が解決しようとする課題】
【０００３】
本発明は、複数種類の電池を装填可能な電池収容ユニットが装着された被電力供給物における、電池の真贋判定をより適切に行うことを目的とする。
【課題を解決するための手段】
【０００４】
本発明は、以下のような解決手段により前記課題を解決する。なお、理解を容易にするために、本発明の実施形態に対応する符号を付して説明するが、これに限定されるものではない。
【０００５】
請求項１に記載の発明は、真贋判定可能な第１電池（３１）を第１電池用ホルダ（３０）に載置した状態で、又は真贋判定可能な第２電池（４０）を直接、装填可能な装填部（１１）を備えるとともに、被電力供給物（１００）に装着される電池収容ユニット（１）における該装填部（１１）に対して、前記第１電池用ホルダ（３０）又は前記第２電池（４０）が装填されて該電池収容ユニット（１）が前記被電力供給物（１００）に装着された場合に、前記第１電池用ホルダ（３０）又は前記第２電池（４０）のいずれが装填されているかを判別する判別部（２０１）と、前記判別部（２０１）により前記第１電池用ホルダ（３０）が装着されていると判断された場合に、該第１電池用ホルダ（３０）の出力部から出力される電圧を検出する電圧検出部（２０２）と、該電圧検出部（２０２）により検出された前記電圧が所定値以上の場合、又は前記判別部（２０１）により前記第２電池（４０）が装着されていると判断された場合に、前記第１電池（３１）又は前記第２電池（４０）の真贋を判定する真贋判定部（２０３）と、を備えることを特徴とする電池の真贋判定システム（２００）である。
請求項２に記載の発明は、請求項１に記載の電池の真贋判定システム（２００）であって、前記第１電池（３１）及び前記第２電池（４０）が制御ＩＣ（３６，４６）を備え、前記真贋判定部（２０３）が、前記被電力供給物（１００）と前記制御ＩＣ（３６，４６）との間において通信可能かどうかを判断することにより前記電池の真贋を判定することを特徴とする電池の真贋判定システム（２００）である。
請求項３に記載の発明は、請求項２に記載の電池の真贋判定システム（２００）であって、前記真贋判定部（２０３）において前記被電力供給物（１００）と前記制御ＩＣ（３６，４６）との間が通信不能であると判断された場合に、前記被電力供給物（１００）の動作の一部を動作不能にすることを特徴とする電池の真贋判定システム（２００）である。
請求項４に記載の発明は、請求項１〜３のいずれか１項に記載の電池の真贋判定システム（２００）であって、前記判別部（２０１）は、第１電池用ホルダ（３０）又は第２電池（４０）と電池収容ユニット（１）との接触状態により、前記第１電池用ホルダ（３０）又は前記第２電池（４０）のいずれが装着されたかを判別することを特徴とする電池の真贋判定システム（２００）である。
請求項５に記載の発明は、請求項４に記載の電池の真贋判定システム（２００）であって、前記電池収容ユニット（１）に設けられた複数の接片（１３，１４）を備え、
前記判別部（２０１）は、前記第１電池用ホルダ（３０）又は第２電池（４０）が前記装填部（１１）に挿入されたときに、前記接片（１３，１４）のうちのいずれの接片（１３，１４）を押圧するかによって前記第１電池用ホルダ（３０）又は第２電池（４０）のいずれであるかを判別することを特徴とする電池の真贋判定システム（２００）である。
請求項６に記載の発明は、請求項１〜５のいずれか１項に記載の電池の真贋判定システムを備えるカメラ（２００）である。
請求項７に記載の発明は、真贋判定可能な第１電池（３１）を第１電池用ホルダ（３０）に載置した状態で、又は真贋判定可能な第２電池（４０）を直接、装填可能な装填部（１１）を備えるとともに、被電力供給物（１００）に装着される電池収容ユニット（１）における該装填部（１１）に対して、前記第１電池用ホルダ（３０）又は前記第２電池（４０）が装填されて該電池収容ユニット（１）が前記被電力供給物（１００）に装着された場合に、前記第１電池用ホルダ（３０）又は前記第２電池（４０）のいずれが装填されているかを判別し、
前記第１電池用ホルダ（３０）が装着されていると判断された場合に、該第１電池用ホルダ（３０）の出力部から出力される電圧を検出し、
前記電圧が所定値以上の場合、又は前記第２電池（４０）が装着されていると判断された場合に、前記第１電池（３１）又は前記第２電池（４０）の真贋を判定することを特徴とする電池の真贋判定方法である。
なお、符号を付して説明した構成は、適宜改良してもよく、また、少なくとも一部を他の構成物に代替してもよい。
【発明の効果】
【０００６】
本発明によれば、複数種類の電池が装填可能な電池収容ユニットが装着された被電力供給物における、電池の真贋判断をより適切に行うことができる。
【発明を実施するための最良の形態】
【０００７】
以下、図面等を参照して、本発明の実施形態について説明する。なお、以下に示す各図には、説明と理解を容易にするために、ｘｙｚ直交座標系を設けた。この座標系では、撮影者が光軸Ａを水平として横長の画像を撮影する場合のカメラ１００の位置（以下、通常の撮影位置という）において撮影者から見て左側に向かう方向をｘプラス方向とする。また、通常の撮影位置において上側に向かう方向をｙプラス方向とする。さらに、通常の撮影位置において被写体に向かう方向をｚプラス方向とする。そして図２〜図６のバッテリパック１においては、カメラ１００に装填された場合におけるｘｙｚ方向を、図２〜図６においてもｘｙｚ方向とした。
【０００８】
図１は、第１実施形態のバッテリパック１をカメラ１００とともに示す斜視図である。第１実施形態のバッテリパック１は、カメラ１００の下面１０１に装着されて使用される。なお、この図においてバッテリパック１は、後述する乾電池用ホルダ２０、２セル電池用ホルダ３０又は３セル電池４０が挿入された状態を示している。
【０００９】
バッテリパック１は、上面カバー２と、本体３と、ボス５と、回転操作部６と、ねじ７と、信号通信部８と、電圧供給部９とを備える。
【００１０】
上面カバー２は、カメラ１００に対して装着されるときにカメラ１００の下面１０１と接触する。ボス５は、上面カバー２のｙプラス側に突出するように設けられている。ボス５は、カメラ１００の下面１０１に設けられた、対応する凹部１０２と嵌合する。
【００１１】
回転操作部６は、バッテリパック１をカメラ１００に装着した状態で固定するときに操作する部材である。回転操作部６は、本体３からｚ方向のプラス及びマイナス側に僅かに突出した状態となっている。使用者は、この突出した部分より回転操作部６を回転させ、不図示のギヤを介してねじ７に回転力を伝えることができる。
【００１２】
ねじ７は、上面カバーのｙプラス方向に突出するように設けられている。ねじ７は、上述したように、回転操作部６を回転することにより回転する。カメラ１００の下面１０１の対応位置に設けられた三脚ねじ穴１０３にねじ７を差し込み、そのねじ７を回転させることによりバッテリパック１をカメラ１００に対して固定したり、固定を解除したりすることができる。
【００１３】
信号通信部８は、上面カバー２上のｘマイナス側であって且つｚマイナス側に寄った位置から突出して設けられている。一方、カメラ１００の下面１０１の信号通信部８と対応する位置（バッテリパック１がカメラ１００に対して装着されるときに対応する位置）には、通信用接続部１０５が設けられている。
【００１４】
電圧供給部９は、上面カバー２上のｘマイナス側であって信号通信部８のｘプラス側端部に近い位置から突出して設けられている。また、カメラ１００の下面１０１の電圧供給部９と対応する位置には、電圧供給部９と接続される電圧用接続部１０６が設けられている。カメラ１００の背面には、表示部１０８が設けられている。表示部１０８には、カメラを設定するためのメニュー項目や、カメラ１００の設定状態（シャッター速度、絞り値、記録解像度など）等を表示可能である。本実施の形態では表示部１０８に電池残量および電池種別等も表示可能である。
【００１５】
図２は、図１で示すバッテリパック１の本体３から乾電池用ホルダ２０、２セル電池用ホルダ３０及び３セル電池４０を取り外した状態においてｘプラス方向からみた図である。図示するように本体３は、ｘプラス方向端部が開口した筒状部１１を備える。その筒状部１１の内面におけるｘマイナス側の端面１２には、第１接片１３及び第２接片１４が設けられている。第１接片１３は端面１２における中央部よりもｙプラス側且つｚプラス側に設けられ、第２接片１４は第１接片１３よりもさらにｙプラス側且つｚマイナス側に配置されている。後述するが、２セル電池用ホルダ３０が挿入されると、第１接片１３のみが押圧され、３セル電池４０が挿入されると、第１接片１３及び第２接片１４が押圧され、乾電池用ホルダ２０が挿入されると、第２接片１４のみが押圧される。
【００１６】
端面１２における第１接片１３及び第２接片１４よりもさらにｙプラス側には、端面１２におけるｚ方向の中心線から互いに等距離の位置に、プラス側接続部１５とマイナス側接続部１６が設けられている。プラス側接続部１５とマイナス側接続部１６は、乾電池用ホルダ２０が筒状部１１に差し込まれると、後述する乾電池用ホルダ２０に設けられたプラス側端子２１及びマイナス側端子２２と接触する。
【００１７】
端面１２におけるｚマイナス側のやや下方には、後述する２セル電池用ホルダ３０又は３セル電池４０が差し込まれたときに、２セル電池用ホルダ３０及び３セル電池４０に設けられた接続部３２，４１に差し込まれる差込部１７が設けられている。
【００１８】
図３は本体３に挿入される乾電池用ホルダ２０である。乾電池用ホルダ２０に載置される乾電池は、単三形等の国際電気標準会議のＩＥＣ６００８５規格等に沿った汎用の電池である。図示するように乾電池用ホルダ２０は、ｘ側端部に設けられた蓋部２４と、蓋部からｘマイナス方向に伸びる電池保持部２５と、電池保持部２５のｘマイナス側端部に設けられたＵ字部２６を備える。
【００１９】
蓋部２４は、乾電池用ホルダ２０がバッテリパック１の本体３に挿入されたときに、本体３とともにバッテリパック１の外壁を構成する部分である。その外壁側には操作レバー２７（図１参照）が設けられている。この操作レバー２７は、蓋部２４の内側から上に突き出したロック部２８（図２参照）と連動しており、操作レバー２７を回転することで、ロック部２８を回転させ、バッテリパック１の本体３内部に設けられた図示しないロック受け部とロック部２８とを係合させ、乾電池用ホルダ２０を本体３に対して挿入した状態を保つロック状態にし、又は取り外し可能なロック解除状態にすることができる。蓋部２４における電池保持部２５が延びる側には、その電池保持部２５に載置される乾電池のプラス側と接触する正極用接片２９ａと、乾電池のマイナス側と接触する負極用接片２９ｂとが設けられている。
【００２０】
電池保持部２５は、乾電池（図示せず）を、２本直線状に並べて載置することができる保持ライン２５ａをｙプラス側に２列、ｙマイナス側に２列備え、合計で８本の乾電池を保持することができる。
【００２１】
また、Ｕ字部２６の上面には、乾電池用ホルダ２０がバッテリパック１の筒状部１１に挿入されたときに、乾電池用ホルダ２０の端面１２に設けられた上述のマイナス側接続部１６と接触するマイナス側端子２２、及び、乾電池用ホルダ２０の端面１２に設けられた上述のプラス側接続部１５と接触するプラス側端子２１とが設けられている。このマイナス側端子２２は、電池保持部２５に乾電池（図示せず）が載置されたときに、電池のマイナス側に電気的に接続され、また、プラス側端子２１は、電池のプラス側と電気的に接続される。なお、乾電池用ホルダ２０がバッテリパック１の筒状部１１に挿入されると、Ｕ字部２６により第２接片１４のみが押圧される。
【００２２】
図４は、制御ＩＣが内蔵され、カメラ１００と通信することで真贋判定可能な、例えば２セルＬｉ−ｉｏｎリチャージャブル電池（以下、２セル電池という）３１を載置可能な２セル電池用ホルダ３０の斜視図であって、２セル電池３１が載置されていない状態を示す。図５は２セル電池用ホルダ３０に２セル電池３１が載置された状態を示した斜視図である。図示するように２セル電池用ホルダ３０は、図３で示した乾電池用ホルダ２０と同様に電池保持部３５を備える。ただし２セル電池３１は、乾電池用ホルダ２０に載置される乾電池と異なり、電池保持部３５の中央部に１つだけ載置される。
【００２３】
電池保持部３５のｘプラス側端部には乾電池用ホルダ２０と同様な蓋部３４が設けられている。電池保持部３５のｘマイナス側端部には、バッテリパック１の端面に設けられた本体３の内面と接する接続部３２が設けられている。この接続部３２は、上述のようにバッテリパック１の端面１２における差込部１７と電気的に接続されて電力を供給し、また後述する通信を行う。なお、２セル電池用ホルダ３０がバッテリパック１の筒状部１１に挿入されると、端面３６により第１接片１３のみが押圧される。
【００２４】
図６は制御ＩＣを内蔵し、カメラ１００と通信することで真贋判定可能な、例えば３セルＬｉ−ｉｏｎｃリチャージャブル電池（以下、３セル電池という）４０とそのカバー部材４２である。３セル電池４０の場合、ホルダは使用せず、３セル電池４０をバッテリパック１の筒状部１１に挿入し、さらにカバー部材４２を押し込む構成になっている。
【００２５】
カバー部材４２は、乾電池用ホルダ２０及び２セル電池用ホルダ３０と同様の蓋部４４を備え、その蓋部４４からｘマイナス側に延び且つ３セル電池４０のｚｙ断面と同形状のｚｙ断面を有する延在部４３を備える。また、３セル電池４０は、２セル電池用ホルダ３０と同様にｘマイナス側端部に接続部４５を備える。なお、３セル電池４０がバッテリパック１の筒状部１１に挿入されると、端面４９により第１接片１３および第２接片１４が押圧される。
【００２６】
次に、乾電池用ホルダ２０、２セル電池用ホルダ３０又は３セル電池４０をバッテリパック１に装填する装填方法について説明する。乾電池用ホルダ２０の場合、電池保持部２５に乾電池（図示せず）を載置し、その状態で乾電池用ホルダ２０をバッテリパック１の筒状部１１に挿入する。上述の２セル電池用ホルダ３０をバッテリパック１に装填する場合、電池保持部３５に２セル電池３１を載置し、その状態で２セル電池用ホルダ３０をバッテリパック１の筒状部１１に挿入する。上述の３セル電池４０をバッテリパック１に装填する場合、３セル電池４０をバッテリパック１の筒状部１１に挿入し、さらにカバー部材４２を３セル電池４０を押し込むようにして挿入する。
【００２７】
そして、操作レバー２７，３７，４７を回転することで、ロック部２８，３８，４８を回転させ、バッテリパック１の本体３内部に設けられた図示しないロック受け部とロック部２８，３８，４８とを係合させ、乾電池用ホルダ２０、２セル電池用ホルダ３０又は３セル電池４０を本体３に対してロックする。
【００２８】
次に、バッテリパック１のカメラ１００に対する取り付け方法について説明する。まず、ボス５とねじ７と信号通信部８と電圧供給部９とが、それぞれ、凹部１０２と三脚ねじ穴１０３と通信用接続部１０５と電圧用接続部１０６と略一致するようにバッテリパック１をカメラ１００の下面１０１に近づける。そうすると、ボス５と凹部１０２とが嵌合し、バッテリパック１は、カメラ１００に対してｘｚ平面内の位置が規制されて位置決めされる。さらに、回転操作部６を回転させて、ねじ７を三脚ねじ穴１０３にねじ込み、バッテリパック１のカメラ１００に対する装着が完了する。
【００２９】
図７は本実施形態の真贋判定システム２００のブロック図である。カメラ１００内部のＣＰＵ１０７は、判別部２０１、電圧検出部２０２、真贋判定部２０３を備える。バッテリパック１のカメラ１００に対する装着が完了すると、信号通信部８が通信用接続部１０５に接続される。これにより、第１接片１３及び第２接片１４の押圧情報が、信号通信部８及び通信用接続部１０５を介して判別部２０１に伝達される。
【００３０】
また、バッテリパック１に装填された２セル電池３１の制御ＩＣ３６又は３セル電池４０の制御ＩＣ４６は、信号通信部８、通信用接続部１０５を介してカメラ１００の真贋判定部２０３と通信が可能となる。
【００３１】
さらに、電圧供給部９が電圧用接続部１０６に接続されることにより、２セル電池３１の電力が、電圧供給部９、電圧用接続部１０６を介してカメラ１００の電圧検出部２０２に伝達される。
【００３２】
次に、本実施形態における電池の真贋判定方法について説明する。図８は本実施形態の真贋判定方法を説明するフローチャートである。まず、乾電池用ホルダ２０、２セル電池用ホルダ３０又は３セル電池４０のいずれかが本体３に挿入されたバッテリパック１をカメラ１００に装着する。そうすると、図７に示すように、第１接片１３及び第２接片１４の押圧情報が判別部２０１に送られ、乾電池用ホルダ２０、２セル電池用ホルダ３０、又は３セル電池４０のいずれがバッテリパック１に装填されているかが判定される（Ｓ１）。
【００３３】
ここで、第２接片１４のみが押圧され、その信号が信号通信部８及び通信用接続部１０５を介してカメラ１００側に送られると、カメラ１００において乾電池用ホルダ２０が差し込まれたと判断される（Ｓ１，乾電池用ホルダ）。
【００３４】
第１接片１３のみ押圧され、その信号が信号通信部８及び通信用接続部１０５を介してカメラ１００側に送られると、カメラ１００において２セル電池用ホルダ３０が差し込まれたと判断される（Ｓ１，２セル電池ホルダ）。
【００３５】
第１接片１３及び第２接片１４が押圧され、その信号が信号通信部８及び通信用接続部１０５を介してカメラ１００側に送られると、カメラ１００において３セル電池４０が差し込まれたと判断される（Ｓ１，３セル電池）。
【００３６】
乾電池用ホルダ２０であると判断された場合は（Ｓ１，乾電池用ホルダ）、電圧検出部２０２により電池電圧を検出して電池残量を算出し、電池残量および電池種別（乾電池）を表示部１０８等に適宜表示する（Ｓ５）。なお、乾電池用ホルダ２０に載置されるのは、汎用の乾電池又は充電池であるため、真贋判定は行われない。
【００３７】
２セル電池用ホルダ３０であると判断された場合は（Ｓ１，２セル電池用ホルダ）、２セル電池３１の電圧が電圧検出部２０２に送られる（Ｓ２）。ここで、電圧が所定の閾値より小さい場合（Ｓ２，Ｎｏ）は、後述のステップ３の真贋の判定を行わない。上述の閾値は、２セル電池用ホルダ３０に２セル電池３１が搭載されていない、つまり電源端子間がオープン状態であることを示す電圧以下（例えばゼロ以下）とする。ステップ２によって否定された場合は、ステップＳ６で２セル電池用ホルダ３０に電池が搭載されていないことを表示部１０８に表示する。なお、上述の閾値をカメラ１００が動作不能となる電圧以下としてもよい。この場合であっても、ステップＳ２で否定判定された場合は、真贋判定を行わずとも装填された電池は使用されないからである。そして、ステップＳ６で電池残量がゼロであることを表示部１０８に表示する。
【００３８】
２セル電池用ホルダ３０の電圧が閾値以上の場合（Ｓ２，Ｙｅｓ）、また、ステップ１において３セル電池が装着されたと判断された場合（Ｓ１，３セル電池）、真贋判定部２０３において２セル電池又は３セル電池の制御ＩＣ３６，４６との通信可能（認証可能）かどうかを判断する（Ｓ３）。
【００３９】
通信が可能の場合（Ｓ３，Ｙｅｓ）は、正規の２セル電池３１又は３セル電池４０が装填されているので、カメラ１００のレリーズを禁止せず、ステップ７で、電池から電池残量を取得し、該電池残量および電池種別（２セル電池又は３セル電池）を表示部１０８に適宜表示する。通信ができない場合（Ｓ３，Ｎｏ）、カメラ１００のレリーズができないようにして（Ｓ４）、判定を終了する。
ここで、２セル電池用ホルダ３０に２セル電池３１が搭載されていない状態で、本体３に挿入された場合を考える。もし、ステップ２の電圧判定無しに、ステップ３の真贋の判定のみを行った場合、真贋判定部２０３は、２セル電池３１が無いため通信（認証判定）ができない。このため、贋電池と同様にステップ３にて否定判定を行い、ステップ４でレリーズを禁止する。しかし、ステップ２による電池電圧による判定を行うことにより２セル電池用ホルダ３０に２セル電池３１が搭載されていない状態で本体３に挿入された場合であっても、ステップ２で否定判定され電池無しとして判断されるため、誤ってレリーズが禁止されることが無い。
【００４０】
以上、本実施形態によると、以下の効果を有する。
（１）２セル電池用ホルダ３０が２セル電池３１が載置されていない状態で本体３に挿入された場合に、通信可能かどうかの判定を行い、電池がないために通信できず、その後につづくステップ４によりカメラ１００のレリーズができないようにすると、カメラ１００の電池はまだあるにもかかわらず、空の２セル電池用ホルダ３０を装着しただけでレリーズが禁止になる。しかし、本実施形態によると、２セル電池用ホルダ３０が２セル電池３１が載置されていない状態で本体３に挿入された場合に、通信可能か否かの判定を行うまえに、電池用ホルダから供給される電力の電圧を測定する。ここで、電圧が所定値以下の場合には通信可能か否かの判定は行なわない。したがって空のホルダが装着された場合にレリーズができなくなることがない。
（２）本実施形態では、２セル電池と３セル電池とが制御ＩＣを備えているため、カメラ１００のＣＰＵ１０７と制御ＩＣとの間で通信できるかどうかを判断することにより、２セル電池又は３セル電池が正規品であるかを容易に判断することができる。
（３）本実施形態では、カメラ１００のＣＰＵ１０７と、２セル電池３１又は３セル電池４０とが通信不能であると判断された場合に、カメラ１００のレリーズを不能にする。したがって非正規品の電池を使用することによる誤動作等を防止することができる。
（４）本実施形態では、バッテリパック１に乾電池用ホルダ２０、２セル電池用ホルダ３０又は３セル電池４０が装填されたときに、乾電池用ホルダ２０、２セル電池用ホルダ３０又は３セル電池４０とバッテリパック１の筒状部１１の端面１２に設けられた第１接片１３及び第２接片１４との接触状態により、乾電池用ホルダ２０、２セル電池用ホルダ３０又は３セル電池４０のいずれが装着されたかを判別する。したがって複雑な判別部を設ける必要がなく、簡単な構成で判別を行うことができる。
【００４１】
（変形形態）
以上、説明した実施形態に限定されることなく、種々の変形や変更が可能であって、それらも本発明の範囲内である。
（１）本実施形態では、真贋判定可能な電池としてＬｉ−ｉｏｎリチャージャブル電池を例に説明したがこれに限定されず、真贋判定を行うことができれば他の電池であってもよい。
（２）本実施形態では、乾電池用ホルダ２０を使用できる構成としたがこれに限定されず、ホルダに載置された状態で使用される真贋判定可能な電池と、ホルダに載置しない状態で使用される真贋判定可能な電池とが装填可能な真贋判定システムであれば、乾電池用ホルダは使用しないものであってもよい。
（３）本実施形態では、制御ＩＣを備える電池において、通信可能か否かで真贋判定を行った。しかし、これに限定されず、真贋の判定が可能であれば他の構成であってもよい。
（４）本実施形態では、バッテリパック１に乾電池用ホルダ２０、２セル電池用ホルダ３０、又は２セル電池４０が装填されたときに、乾電池用ホルダ２０、２セル電池用ホルダ３０、又は２セル電池４０と、バッテリパック１の第１接片１３及び第２接片１４とがどのように接触するかにより種別を判別した。しかし、本発明はこれに限定されず、例えば接片が押圧されて移動する距離の差等、他の方法で種別を判別してもよい。
なお、実施形態及び変形形態は、適宜組み合わせて用いることもできるが、詳細な説明は省略する。また、本発明は以上説明した各実施形態によって限定されることはない。
【図面の簡単な説明】
【００４２】
【図１】本発明の実施形態のバッテリパックをカメラとともに示す斜視図である。
【図２】バッテリパックの本体からホルダ等を取り外した状態においてｘプラス方向からみた図である。
【図３】バッテリパックの本体に挿入される乾電池用ホルダの斜視図である。
【図４】バッテリパックの本体に挿入される２セル電池用ホルダの斜視図である。
【図５】バッテリパックの本体に挿入される２セル電池用ホルダに２セル電池を載置した状態の乾電池用ホルダである。
【図６】バッテリパックの本体に挿入される３セル電池とそのカバー部材である。
【図７】真贋判定システムのブロック図である。
【図８】バッテリパックの本体に挿入される３セル電池及びカバーの斜視図である。
【符号の説明】
【００４３】
１：バッテリパック、１１：筒状部、２０：乾電池用ホルダ、３０：２セル電池用ホルダ、３１：２セル電池、４０：３セル電池、１００：カメラ、１０７：ＣＰＵ、２００：真贋判定システム２０１：判定部、２０２：電圧検出部２０２：真贋判定部
【図１】
0005082660.tif 000002
【図２】
0005082660.tif 000003
【図３】
0005082660.tif 000004
【図４】
0005082660.tif 000005
【図５】
0005082660.tif 000006
【図６】
0005082660.tif 000007
【図７】
0005082660.tif 000008
【図８】
0005082660.tif 000009